(57)【要約】      （修正有）【課題】光触媒作用の発揮が簡単、明瞭に視認でき、かつ安価で、意匠的効果にも優れたマスクを提供する。【解決手段】  光触媒を固着させた素材の表面にフォトクロミック材料を固着させたシールを積層したことを特徴とするマスクであり、このマスクは光触媒としての機能とフォトクロミズムによる光触媒作用確認のインジケータとして機能の両機能を有する。また、フォトクロミック材料が固着しているシールは、マスク本体とは独立して取り扱うことができるので、マスクの製造過程において、幾何学形状や動物・人形などのキャラクタの形状などの意匠を容易に施こすことができる。【選択図】図１
0003119524.tif 000002
【実用新案登録請求の範囲】
【請求項１】
光触媒を固着させた素材の表面に、フォトクロミック材料を固着させたシールを積層したことを特徴とするマスク。
【請求項２】
前記シールに意匠が施されていることを特徴とする請求項１記載のマスク。
【考案の詳細な説明】
【技術分野】
【０００１】
本考案のマスクは、制菌、抗菌、脱臭、防汚等の作用を発揮し、かつその作用が発揮されているか否かを着用者が視認できるマスクに関する。
【背景技術】
【０００２】
呼吸することによりマスクに付着した細菌や汚染物質は、マスクの素材（織布、不織布など）に光触媒を固着させると共にこれに太陽光などの光を照射すると、光触媒の作用で分解され、マスクを清潔に保つことが出来る。このような制菌作用や消臭作用を有する光触媒を利用したマスクとしては、美容業界で注目されているフェイスマスクが開示されている（例えば、特許文献１参照）。
【０００３】
一方、当該マスクの場合、光触媒の作用は目に見えるものではないので、着用者にとっては光触媒作用が発揮されているのかどうかを認識できないため、光触媒作用に基づく制菌等が実感できない問題があった。そのため光触媒処理をした素材に、更にフォトクロミック加工を施し、光（紫外線）が当たるとマスク全体が変色するようにし、これをインジケータとして光触媒が作用していることを目視できるようにしたものが開発された（例えば、特許文献２参照）。
【０００４】
しかし、マスク全体をフォトクロミック加工するには、高価なフォトクロミック材料を多量に使用するためコスト高となるし、また、単色で全体に変色したのでは、外観としてもあまり見掛けが良いものではなく、さらにこの場合、同一素材（同一場所）中に光触媒とフォトクロミック材料が同時に存在するため、光触媒の酸化作用によって、フォトクロミック材料自体並びにその変色作用（フォトクロミズム）が損なわれる場合がある。
【特許文献１】特開２００３−２７５０２４号公報
【特許文献２】特開２００５−１２０４８２号公報
【考案の開示】
【考案が解決しようとする課題】
【０００５】
そこで、本考案は、光触媒作用の発揮が簡単、明瞭に視認でき、かつ安価で、意匠的効果にも優れたマスクを提供することを目的とする。
【課題を解決するための手段】
【０００６】
上記目的を達成するために鋭意研究した結果、マスク本体の生地にはフォトクロミック加工の処理を施さず、光触媒のみを固着させておき、マスク本体とは別の素材（シール）にフォトクロミック材料を固着し、幾何学的形状、動物・人形などのキャラクタの形状にしたシールをマスクに貼着等するようにすれば、光触媒作用の発揮が簡単、明瞭に視認でき、かつ安価で、意匠的効果にも優れたマスクが得られることを見出し、ついに、次に示すような本考案を完成させた。
【０００７】
すなわち、本考案のうち第１の考案は、光触媒を固着させた素材の表面に、フォトクロミック材料を固着させたシールを積層したことを特徴とするマスクであり、第２の考案は前記シールに意匠が施されていることを特徴とする第１考案記載のマスクである。
【０００８】
本考案において、光触媒とは、いわゆる光が当たると触媒になる物質であり、特に限定されないが、酸化チタンや酸化亜鉛等が例示される。この光触媒を固着させるマスク本体の素材としては、マスクとして使用しうる素材であれば、特に限定されないが、織布、不織布、フィルム、紙等が例示される。光触媒を素材に固着する方法としては、素材への光触媒の混入、練りこみ、接着剤等を用いる貼着等が例示される。
【０００９】
フォトクロミック材料は、フォトクロミズムを示す材料であり、可逆的なフォトクロミズムを示す材料の場合、光を照射による変色（発色、退色をも含む。以下、同じ。）と光遮断による回復（元の色に戻る現象）を繰り返すので、マスクが光触媒作用を発揮しているか否かを確認するためのインジケータとして、複数回乃至多数回使用できる。
【００１０】
また、フォトクロミック材料としては、光触媒の励起光となる紫外線に感光（紫外線を吸収）するものを用いるのが好ましい。この場合、光触媒の励起光を吸収して変色するので、その変色は、光触媒の作用と直接関連付けられるからである。しかし、それ以外の光に感光するものであってもよい。例えば、太陽光の場合、光触媒が励起される紫外線の他、可視光線や赤外線も含むので、フォトクロミック材料が紫外線以外の光に感光して変色しても、同時に紫外線が光触媒に照射されていることになるので、当該変色によって、光触媒作用が生じていることを確認できるからである。
【００１１】
シールの素材としては、光触媒を固着させたマスク本体の素材に積層して使用できるものであれば、特に限定されないが、織布、不織布、紙、フィルム、シート等が例示される。このシール素材にフォトクロミック材料を固着させる方法としては、フォトクロミック材料のシール素材への染色、混入、練り込み、付着、接着等が例示される。このようにしてフォトクロミック材料を固着させたシールは、第２の考案のように、意匠を施すのが好ましい。例えば、幾何学的形状、動物・人形などのキャラクタの形状にしたシールをマスクに積層するようにすれば、愛らしく、人目を引いて商品価値が向上し、かつマスク全体にフォトクロミック材料を使用する場合に比べ、フォトクロミック材料の使用量が少なくでき、経済的となるからである。
【００１２】
本考案に係るマスクは、上記の如く、光触媒を固着させたマスク本体の素材に、フォトクロミック材料を固着させたシールを積層したものであるが、この「積層」とは、双方が縫製、貼着、接着などの方法で固着されていてもよいが、単に双方が重ね合わさっている状態を含む概念である（例えば、双方に耳かけ紐をつけて使用する場合等が考えられる。）。なお、本考案の効果を妨げない範囲で、このシール素材に、光触媒を固着させてもよいのは、勿論である。また、本考案の効果を妨げない範囲で、マスク本体とシールとの間に、別の素材（不織布、織布、紙、フィルム、シート等）を介在させてもよいし、マスク本体やシールの前後に別の素材（不織布、織布、紙、フィルム、シート等）を存在させてよいのは勿論である。
【考案の効果】
【００１３】
本考案によれば、光触媒を固着させた素材（マスク本体）にフォトクロミック材料固着のシールを積層させることで、マスクは光触媒としての機能と光触媒作用の発揮を確認するインジケータとして機能の両機能を有するが、特に光触媒とフォトクロミック材料とが別個の素材中に分離して存在するため、光触媒の酸化作用によって、フォトクロミック材料自体並びにその変色反応が損なわれないし、またフォトクロミック材料が固着しているシールは、マスク本体とは独立して取り扱うことができるので、フォトクロミック材料が光触媒の存在する生地と一体になっている従来のマスクに比べ、容易に意匠性を付加することができることになる。その場合、着用者の好みでシール部をデザインをすることが可能となり、着用者がデザインすることになると、生産者にとっては、マスク本体だけをシール部とは別に製造することが可能であって、コスト低減の一助となる。
【考案を実施するための最良の形態】
【００１４】
本考案を実施するための形態は次の通りであるが、これらは本考案を実施するための形態の一例に過ぎず、本考案はこれらの実施の形態に限定されるものではない。
【００１５】
（実施の形態１）
図１は本考案に係るマスクの一例であり、酸化チタンを固着させて形成した矩形の不織布と耳掛け紐５とからなるマスク本体１に、フォトクロミック材料を固着させた五角形のシール２を縫い付けて作製したマスクである。
【００１６】
この場合、マスク本体１は、レーヨン繊維３０重量％と、ポリエステル繊維７０重量％からなる繊維目付量１５ｇ/ｍ2の不織布を、光触媒水溶液（（株）ＪＣＬ製）とアクリルバインダー水分散液の混合液に浸漬・乾燥し、光触媒を固形分で約５ｇ/ｍ2固着させることにより作製した。アクリルバインダーは、全繊維重量に対し樹脂分として５〜１０重量％用いた。また、五角形のシール２は、不織布（シンワ産業（株）製サーマルボンド、目付量１５ｇ／ｍ2）に、フォトクロミック材料（ノーテープ工業（株）製ＧＥ-３０００Ｐ）を、アクリル系バインダー樹脂を用い、パディング法にて、不織布重量に対し５〜１０重量％を固着させ、五角形に切断して作製した。なお、酸化チタンを練りこんだレーヨン繊維は、酸化チタンの表面に従来法による表面処理を施して、繊維の分解を防止することもできる。
【００１７】
この実施の形態１のマスクのシール２は、元の色は白色であるが、直射日光の照射の下では直ちに紫色に変色し、日陰や曇天の下では、淡紫色に変色し、室内や夜間等において日光が遮断されると元の色に戻る。再度直射日光を照射すると前記紫色に変色し、再度日光照射が遮断されると元の色の白色に戻り、これを繰り返す。
【００１８】
（実施の形態２）
図２は本考案に係るマスクの他の例であり、酸化チタンを固着させて形成した矩形の不織布と耳掛け紐５とからなるマスク本体３に、フォトクロミック材料を固着させたパンダ顔面形状のシール４を、接着剤又は粘着剤にてシール加工を施したものを用いて貼り付けて作製したマスクである。
【００１９】
この場合も、マスク本体３は、レーヨン繊維３０重量％と、ポリエステル繊維７０重量％からなる繊維目付量１５ｇ/ｍ2の不織布を、光触媒水溶液（（株）ＪＣＬ製）とアクリルバインダー水分散液の混合液に浸漬・乾燥し、光触媒を固形分で約５ｇ/ｍ2固着させることにより作製した。また、パンダの顔面形状のシール４は、パンダの模様を施した不織布（シンワ産業（株）製サーマルボンド、目付量１５ｇ／ｍ2）に、フォトクロミック材料（ノーテープ工業（株）製ＧＥ-３０００Ｐ）を、アクリル系バインダー樹脂を用い、パディング法にて、不織布重量に対し５〜１０重量％を固着させた後、パンダ模様の外形に沿って切断して作製した。なお、酸化チタンを練りこんだレーヨン繊維は、酸化チタンの表面に従来法による表面処理を施して、繊維の分解を防止することもできる。
【００２０】
この実施の形態２のマスクのシール４は元の色は、白色又は黒色であるが、白色である部分が、直射日光の照射の下では直ちに紫色に変色し、日陰や曇天の下では淡紫色に変色し、室内や夜間等において日光が遮断されると元の色に戻る。再度直射日光を照射すると前記紫色に変色し、再度日光照射が遮断されると元の色の白色に戻り、これを繰り返す。
【００２１】
本実施の形態に係るマスクは、マスク本体を光触媒機能を有する不織布又は織布で構成し、このマスク本体とは別にフォトクロミック材料を固着させたシールを、マスク本体に積層して固定させたものであり、紫外線照射によってシール部が変色するので、かかる変色を視認すれば、光触媒が作用して制菌等が行われていることを実感できる。また、太陽光照射の場合、可視光線と紫外線を含むので、例えば、可視光線で変色するフォトクロミック材料をシール部に使用しても、可視光線によるこのシール部の変色は、同時に、光触媒に紫外線が照射されていることを示すことになり、かかる変色の視認によってマスク本体の光触媒作用の発揮による制菌等を実感できることになる。
【００２２】
したがって、本実施の形態に係るマスクは、光触媒作用発揮のインジケータとしての機能と、光触媒機能の両機能を備えたマスクであり、特に、シール部はマスク本体とは別に存在することから、光触媒の酸化作用をフォトクロミック材料が受けることによる変色がほとんどなく（ほぼフォトクロミズムによる変色のみが起こる）、光触媒の酸化作用による制菌等のインジケータとしての変色が明瞭であり、また使用者の好みのキャラクタに合わせた形状とし使用できるメリットがある。この場合、直射日光の下において、キャラクタの図柄のみが変色する意匠としての価値も付加し得ることになる。
【産業上の利用可能性】
【００２３】
本考案は、マスク、特に光触媒作用による制菌等の作用のインジケータとしての機能と、光触媒機能の両機能を備えたマスクあって、安価で、インジケータ部を着用者等の好みでデザインすることができるマスクとして好適に用いられるものである。
【図面の簡単な説明】
【００２４】
【図１】は、本考案に係るマスクの一例であって、シール部を五角形としたものである。
【図２】は、本考案に係るマスクの他の一例であって、シール部をパンダ顔面の形状としたものである。
【符号の説明】
【００２５】
１    マスク本体
２    幾何学形状のシール部
３    マスク本体
４    パンダ顔面形状のシール部
５    耳掛け紐
【図１】
0003119524.tif 000003
【図２】
0003119524.tif 000004